(57)【要約】      （修正有）【課題】直接自分の目で確認できない部位を見ることが出来ると共に、折り畳み収容時の厚さ寸法を小さくすることができ、コンパクトな状態で持ち歩くことができる折り畳み式手鏡を提供する。【解決手段】ヒンジ部１１を介して二つ折り可能な一対のフレーム部１２と、フレーム部に対して折り畳めるように回動可能に接合され、同一方向に表出する一対のミラー部１５とを備えた折り畳み式手鏡１０であって、一対のフレーム部は一方のフレーム１２ａと他方のフレーム１２ｂとにより構成され、フレーム部を折り畳んだ場合には、一方のフレームは他方のフレームの厚さ方向において同一面内に配置され、他方のフレーム１２ｂが一対のミラー部に対して当接した状態で折り畳まれるように構成されている。【選択図】図１
0003196197.tif 000002
【実用新案登録請求の範囲】
【請求項１】
ヒンジ部を介して二つ折り可能な一対のフレーム部と、前記フレーム部に対して折り畳めるように回動可能に接合され、同一方向に表出する一対のミラー部とを備えた折り畳み式手鏡であって、前記一対のフレーム部は一方のフレームと他方のフレームとにより構成され、前記フレーム部を折り畳んだ場合には、前記一方のフレームは前記他方のフレームの厚さ方向における同一面内に配置され、前記他方のフレームが前記一対のミラー部に対して当接した状態で折り畳まれるように構成されていることを特徴とする折り畳み式手鏡。
【請求項２】
前記一方のフレーム及び他方のフレームは方形状に形成され、前記他方のフレームには、折り畳み時に前記一方のフレームを収納しうる収納部を有することを特徴とする請求項１記載の折り畳み式手鏡。
【請求項３】
前記一方のフレーム及び他方のフレームは平面長方形枠状に形成され、前記一方のフレームは前記他方のフレームの短片部に回動可能に接合され、前記他方のフレームの長片部間の内径寸法は前記一方のフレームの長片部間の外径寸法と同一に形成されると共に、前記一方のフレームの長片部の長さ寸法は前記他方のフレームの長片部の長さ寸法と同一に形成されていることを特徴とする請求項２記載の折り畳み式手鏡。
【請求項４】
前記ミラー部は、平面長方形状に形成され、前記ミラー部の長さ寸法は、前記他方のフレームの長さ寸法と同一に形成されていると共に、前記ミラー部の幅寸法は、前記他方のフレームの長片部間の外径寸法と同一に形成されていることを特徴とする請求項１記載の折り畳み式手鏡。
【請求項５】
前記一対のミラー部は、夫々、前記一方のフレーム及び他方のフレームに対してヒンジを介して回動して折り畳めるように接合されていることを特徴とする請求項４記載の折り畳み式手鏡。
【考案の詳細な説明】
【技術分野】
【０００１】
本考案は、折り畳み式手鏡に係り、特に直接自分の目で確認できない部位を見るために用いる折り畳み式手鏡に関するものである。
【背景技術】
【０００２】
一般に、自分の頭の天頂部や後頭部など、直接自分の目で確認できない部位を見る場合には、前方に鏡を置いた状態でもう一枚の鏡を自身の後方に位置するように手で持ち、その鏡に映された像を前方の鏡に間接的に映して、これを視認するといった方法を用いる。前記方法においては、鏡を二つ用いる必要があるため、外出先等で行うことは困難であった。
【０００３】
前記のような困難を解消するため、例えば特許文献１には、鏡に取り付け装置と可動アームを設けて鏡の位置を保持し、固定された鏡との間で合わせ鏡を構成するようにして、自分の後ろ姿を見ることが出来る鏡が開示されている。
また、特許文献２には、複数の伸縮曲自在具で二面の鏡面を連結した構成で、鏡面の曲がり角度及び伸縮自在具の距離、曲がり角度を自在に調節でき、合わせ鏡として使用できる携帯用の合わせ鏡としての二面鏡が開示されている。
また、特許文献３には、鏡面を有する２つの本体を２つの連結片で回動可能に連結し、連結片を本体に収納できる手鏡が開示されている。
【０００４】
しかしながら、特許文献１に示すような手鏡にあっては、鏡を取り付けるための取り付け装置が必要であるため構造が大型化したものであり、使用者がカバンなどに収納し持ち運ぶことが可能な携帯用として用いるものではない。
また、特許文献２に示すような手鏡にあっては、自由に折れ曲がるが故に、使用者が二面の鏡面を適当な反射角度に設定することが却って困難であった。また、収納する場合に手間がかかる場合もあった。
また、特許文献３に示すような手鏡にあっては、折りたたんだ連結片を収納するために連結片２枚分の厚さ寸法を本体に確保しているため、従来の手鏡より大きな厚さ寸法を有するという不具合があった。
【特許文献１】実開平５−７４４１７号公報
【特許文献２】特開２０００−１９７５４７号公報
【特許文献３】特開ＷＯ２００５／１６０６３号公報
【考案の開示】
【考案が解決しようとする課題】
【０００５】
本考案は、以上のような従来からの不具合を解決するためのものであって、その課題は、直接自分の目で確認できない部位を見ることが出来ると共に、折り畳み収容時の厚さ寸法を小さくすることができ、コンパクトな状態で持ち歩くことができる折り畳み式手鏡を提供することにある。
【課題を解決するための手段】
【０００６】
上記課題を解決するために、請求項１に記載の考案にあっては、ヒンジ部を介して二つ折り可能な一対のフレーム部と、前記フレーム部に対して折り畳めるように回動可能に接合され、同一方向に表出する一対のミラー部とを備えた折り畳み式手鏡であって、前記一対のフレーム部は一方のフレームと他方のフレームとにより構成され、前記フレーム部を折り畳んだ場合には、前記一方のフレームは前記他方のフレームの厚さ方向における同一面内に配置され、前記他方のフレームが前記一対のミラー部に対して当接した状態で折り畳まれるように構成されていることを特徴とする。
【０００７】
従って、前記フレーム部を折り畳んだ場合には、前記一方のフレームは前記他方のフレームの厚さ方向における同一面内に配置され、前記他方のフレームが前記一対のミラー部に対して当接した状態で折り畳まれる。
【０００８】
請求項２に記載の考案にあっては、前記一方のフレーム及び他方のフレームは方形状に形成され、前記他方のフレームには、折り畳み時に前記一方のフレームを収納しうる収納部を有することを特徴とする。
【０００９】
従って、前記フレーム部を折り畳んだ場合には、前記一方のフレームは前記他方のフレームの収納部に収納される。
【００１０】
請求項３に記載の考案にあっては、前記一方のフレーム及び他方のフレームは平面長方形枠状に形成され、前記一方のフレームは前記他方のフレームの短片部に回動可能に接合され、前記他方のフレームの長片部間の内径寸法は前記一方のフレームの長片部間の外径寸法と同一に形成されると共に、前記一方のフレームの長片部の長さ寸法は前記他方のフレームの長片部の長さ寸法と同一に形成されていることを特徴とする。
【００１１】
従って、前記フレーム部を折り畳んだ場合には、前記一方のフレームの長片部は前記他方のフレームの長片部間に収納されると共に、前記一方のフレームと前記他方のフレームとは長さ方向において重なる。
【００１２】
請求項４に記載の考案にあっては、前記ミラー部は、平面長方形状に形成され、前記ミラー部の長さ寸法は、前記他方のフレームの長さ寸法と同一に形成されていると共に、前記ミラー部の幅寸法は、前記他方のフレームの長片部間の外径寸法と同一に形成されていることを特徴とする。
【００１３】
従って、前記フレーム部を折り畳んだ場合には、前記一対のミラー部は、夫々、前記他方のフレームと長さ方向において重なる。
【００１４】
請求項５に記載の考案にあっては、前記一対のミラー部は、夫々、前記一方のフレーム及び他方のフレームに対してヒンジを介して回動して折り畳めるように接合されていることを特徴とする。
【００１５】
従って、前記一対のミラー部は、前記ヒンジに沿って回動させると前記フレーム部に重なるように折り畳まれる。
【考案の効果】
【００１６】
請求項１に記載の折り畳み式手鏡にあっては、前記フレーム部を折り畳んだ場合には、前記一方のフレームは前記他方のフレームの厚さ方向における同一面内に配置され、前記他方のフレームが前記一対のミラー部に対して当接した状態で折り畳まれるので、前記フレーム部を折り畳んだ場合の厚さは他方のフレームの厚さ寸法と略同一になると共に、前記一対のミラー部と前記一対のフレーム部との間に隙間が生じないことから、折り畳み時の厚さ寸法を小さくすることができる。
その結果、コンパクトな状態で持ち歩くことができる折り畳み式手鏡を提供することができる。
【００１７】
請求項２に記載の折り畳み式手鏡にあっては、前記フレーム部を折り畳んだ場合には、前記一方のフレームは前記他方のフレームの収納部に収納されるので、折り畳み時に前記フレーム部を確実に収納固定することができる。
【００１８】
請求項３に記載の折り畳み式手鏡にあっては、前記フレーム部を折り畳んだ場合には、前記一方のフレームの長片部は前記他方のフレームの長片部間に収納されると共に、前記一方のフレームと前記他方のフレームとは長さ方向において重なるので、折り畳み時に前記フレーム部を確実に固定することができると共に、折り畳み時の前記フレーム部の外形寸法を前記他方のフレームの外形寸法と同一の大きさとすることができる。
【００１９】
請求項４に記載の折り畳み式手鏡にあっては、前記フレーム部を折り畳んだ場合には、前記一対のミラー部は、夫々、前記他方のフレームと長さ方向において重なるので、折り畳み時の前記ミラー部の外形寸法を前記他方のフレームの外形寸法と同一の大きさとすることができる。
【００２０】
請求項５に記載の折り畳み式手鏡にあっては、前記一対のミラー部は、前記ヒンジに沿って回動させると前記フレーム部に重なるように折り畳まれるので、前記一対のミラー部の折り畳みが容易な折り畳み手鏡を提供することができる。
【図面の簡単な説明】
【００２１】
【図１】本考案に係る折り畳み式手鏡の一実施の形態において、ミラー部及びフレーム部を開いた状態を示す（ａ）背面図、及び（ｂ）側面図である。
【図２】本考案に係る折り畳み式手鏡の一実施の形態において、ミラー部及びフレーム部を折り畳んだ状態を示す（ａ）正面図、及び（ｂ）側面図である。
【考案を実施するための最良の形態】
【００２２】
以下、添付図面に示す実施の形態に基づき、本考案を詳細に説明する。
図１に示すように、本考案の一実施の形態に係る折り畳み式手鏡１０は、ヒンジ部１１を介して二つ折り可能な一対のフレーム部１２、１２と、フレーム部１２、１２に対して折り畳めるようにヒンジ１３、１４を介して回動可能に接合され、同一方向に表出する一対のミラー部１５、１５とを備えている。
また、一対のフレーム部１２、１２は、平面長方形枠状に形成された一方のフレーム１２ａと他方のフレーム１２ｂとにより構成され、他方のフレーム１２ｂには、折り畳み時に一方のフレーム１２ａを収納しうる収納部１６を有している。
【００２３】
また、一方のフレーム１２ａは、短片部１７において、他方のフレーム１２ｂの短片部１８に回動可能に接合され、他方のフレーム１２ｂの長片部１９、１９間の内径寸法Ｌは一方のフレーム１２ａの長片部２０、２０間の外径寸法Ｌ１と同一に形成されると共に、一方のフレーム１２ａの長片部２０の長さ寸法Ｌ２は他方のフレーム１２ｂの長片部１９の長さ寸法Ｌ３と同一に形成されている。
【００２４】
また、ミラー部１５は、平面長方形状に形成され、ミラー部１５の長さ寸法は、他方のフレーム１２ｂの長さ寸法と同一に形成されていると共に、ミラー部１５の幅寸法Ｌ４は、他方のフレーム１２ｂの長片部１９、１９間の外径寸法Ｌ５と同一に形成されている。
【００２５】
本実施の形態に係る折り畳み式手鏡１０の構成について、添付図面を用いてより詳細に説明する。
図１に示すように、本実施の形態に係る一方のフレーム１２ａは、平面長方形枠形状のフレーム本体２１と、短片部１７に沿って、一方のフレーム１２ａの長片部２０、２０間の内径寸法と略同一の長さ寸法に形成された細長板形状のヒンジ部係合部２２と、フレーム本体２１のミラー部１５側の短片部２３に沿って、一方のフレーム１２ａの長片部２０、２０間の外形寸法と同一の長さ寸法に形成された細長板形状のフレーム係合部２４とにより構成されている。
また、本実施の形態に係る他方のフレーム１２ｂは、平面長方形枠形状のフレーム本体２５と、フレーム本体２５の短片部１８に凹設され、一方のフレーム１２ａのヒンジ部係合部２２と係合しうるヒンジ部係合凹部２６と、フレーム本体２５のミラー部１５側の短片部２７に凹設され、一方のフレーム１２ｂのフレーム係合部２４と係合しうるフレーム係合凹部２８とにより構成されている。
【００２６】
また、図１及び図２に示すように、収納部１６は、他方のフレーム１２ｂのフレーム本体２５に形成され、フレーム部１２ａ、１２ｂを折り畳んだ場合に、一方のフレーム１２ａのヒンジ部係合部２２及びフレーム係合部２４が他方のフレーム１２ｂのヒンジ部係合凹部２６及びフレーム係合凹部２８と、夫々、係合すると共に、一方のフレーム１２ａのフレーム本体２１が他方のフレーム１２ｂのフレーム本体２５と厚さ方向における同一面内に収納されるように構成されている。
【００２７】
また、図１に示すように、本実施の形態に係るヒンジ部１１は、他方のフレーム１２ｂのヒンジ部係合凹部２６の長さ方向に沿って設けられた他方側回動軸部２９と、一方のフレーム１２ａのヒンジ部係合部２２の長さ方向に沿って、他方側回動軸部２９を挟むように設けられた一方側回動軸部３０とにより構成されている。
【００２８】
また、図１に示すように、本実施の形態に係るミラー部１５、１５は、ミラー３１、３１とミラー支持部材３２、３２とを、夫々、有し、一方のフレーム１２ａに接合される一方側ミラー部１５ａと、他方のフレーム１２ｂに接合される他方側ミラー部１５ｂとにより構成されている。
【００２９】
また、本実施の形態に係るヒンジ１３は、一方側ミラー部１５ａの短片部３３に沿って設けられた一方ミラー側回動軸部３４と、一方のフレーム１２ａのフレーム係合部２４の長さ方向に沿って、一方ミラー側回動軸部３４を挟むように設けられた一方側回動軸部３５とにより構成されている。
また、本実施の形態に係るヒンジ１４は、他方側ミラー部１５ｂの短片部３６に沿って設けられた他方ミラー側回動軸部３７と、他方のフレーム１２ｂのフレーム係合凹部２８の長さ方向に沿って、他方ミラー側回動軸部３７を挟むように設けられた他方側回動軸部３８とにより構成されている。
【００３０】
本実施の形態に係る折り畳み式手鏡１０の作用について、添付図面を用いて説明する。
図２に示すように、本実施の形態に係る折り畳み式手鏡１０は、携帯時において、ヒンジ部１１を介して一対のフレーム部１２ａ、１２ｂを二つ折りし、さらにフレーム部１２に対して一対のミラー部１５ａ、１５ｂを折り畳んで携帯する。
この際、一方のフレーム１２ａをヒンジ部１１を介して折り畳むと、一方のフレーム１２ａのヒンジ部係合部２２及びフレーム係合部２４が他方のフレーム１２ｂのヒンジ部係合凹部２６及びフレーム係合凹部２８と、夫々、係合すると共に、一方のフレーム１２ａのフレーム本体２１が他方のフレーム１２ｂのフレーム本体２５と厚さ方向における同一面内に収納される。
また、一方のフレーム１２ａが他方のフレーム１２ｂと厚さ方向における同一面内に収納された後、他方のフレーム１２ｂが一対のミラー部１５ａ、１５ｂに対して当接した状態で折り畳まれる。
【００３１】
従って、フレーム部１２ａ、１２ｂを折り畳んだ場合の厚さは他方のフレーム１２ｂの厚さ寸法と略同一になると共に、一対のミラー部１５ａ、１５ｂと一対のフレーム部１２ａ、１２ｂとの間に隙間が生じないことから、折り畳み時の厚さ寸法を小さくすることができる。
特に、フレーム部１２ａ、１２ｂを折り畳んだ場合には、一方のフレーム１２ａのヒンジ部係合部２２及びフレーム係合部２４が他方のフレーム１２ｂのヒンジ部係合凹部２６及びフレーム係合凹部２８と、夫々、係合すると共に、一方のフレーム１２ａのフレーム本体２１が他方のフレーム１２ｂのフレーム本体２５と厚さ方向における同一面内に収納されるので、フレーム部１２ａ、１２ｂが折り畳み時にがたつくといった事態を防止することができる。
【００３２】
また、図１及び図２に示すように、本実施の形態に係るミラー部１５ａ、１５ｂの長さ寸法は、他方のフレーム１２ｂの長さ寸法と同一に形成されていると共に、ミラー部１５ａ、１５ｂの幅寸法は、他方のフレーム１２ｂの長片部１９、１９間の外径寸法と同一に形成されているので、フレーム部１２ａ、１２ｂを折り畳んだ場合には、一対のミラー部１５ａ、１５ｂは、夫々、他方のフレーム１２ｂと長さ方向において重なり、折り畳み時のミラー部１５ａ、１５ｂの外形寸法を他方のフレーム１２ｂの外形寸法と同一の大きさとすることができる。
その結果、コンパクトな状態で持ち歩くことができる折り畳み式手鏡を提供することができる。
【００３３】
また、本実施の形態に係る折り畳み式手鏡１０は、使用時において、フレーム部１２に対して一対のミラー部１５ａ、１５ｂを開き、さらにヒンジ部１１を介して一対のフレーム部１２ａ、１２ｂを開いて使用する。
この際、一方側ミラー部１５ａと他方側ミラー部１５ｂとの距離は、最大で一方のフレーム部１２ａの長さ寸法と他方のフレーム部１２ｂの長さ寸法とを加えた長さとなり、ミラー部１５ａ、１５ｂ間に十分な距離を確保することができるので、例えば、自分の頭の天頂部や後頭部などの直接自分の目で確認できない部位を見るために本考案を使用することができる。
【００３４】
また、本実施の形態に係る折り畳み式手鏡１０にあっては、一対のフレーム部１２ａ、１２ｂ及び一対のミラー部１５ａ、１５ｂの接合にヒンジを用いているので、折り畳みが容易な折り畳み手鏡を提供することができる。
また、ヒンジ部１１及びヒンジ１３、１４を一定の負荷がかかった場合にのみ回動するように構成することにより、本実施の形態に係る折り畳み式手鏡１０の使用時に一対のミラー部１５ａ、１５ｂの角度を一定に保つことができる折り畳み式手鏡を提供することができる。
【００３５】
本実施の形態に係る折り畳み式手鏡１０は、一対のフレーム部１２、１２は、平面長方形枠状に形成された一方のフレーム１２ａと他方のフレーム１２ｂとにより構成され、他方のフレーム１２ｂには、折り畳み時に一方のフレーム１２ａを収納しうる収納部１６を有している場合を例に説明したが、前記構成に限定されない。
また、一方のフレーム１２ａは、短片部１７において、他方のフレーム１２ｂの短片部１８に回動可能に接合され、他方のフレーム１２ｂの長片部１９、１９間の内径寸法は一方のフレーム１２ａの長片部２０、２０間の外径寸法と同一に形成されると共に、一方のフレーム１２ａの長片部２０の長さ寸法は他方のフレーム１２ｂの長片部１９の長さ寸法と同一に形成されている場合を例に説明したが、前記構成に限定されない。
また、ミラー部１５は、平面長方形状に形成され、ミラー部１５の長さ寸法は、他方のフレーム１２ｂの長さ寸法と同一に形成されていると共に、ミラー部１５の幅寸法は、他方のフレーム１２ｂの長片部１９、１９間の外径寸法と同一に形成されている場合を例に説明したが、前記構成に限定されず、折り畳み時のミラー部の外形寸法をフレーム部の外形寸法と同一の大きさに構成すればよい。
【産業上の利用可能性】
【００３６】
本考案は、折り畳み式手鏡に広く適用可能であり、産業上利用可能性を有している。
【符号の説明】
【００３７】
１０：折り畳み式手鏡
１１：ヒンジ部
１２：フレーム部
１２ａ：一方のフレーム
１２ｂ：他方のフレーム
１３、１４：ヒンジ
１５：ミラー部
１５ａ：一方側ミラー部
１５ｂ：他方側ミラー部
１６：収納部
１７、１８、２３、２７、３３、３６：短片部
１９、２０：長片部
２１、２５：フレーム本体
２２：ヒンジ部係合部
２４：フレーム係合部
２６：ヒンジ部係合凹部
２８：フレーム係合凹部
２９：他方側回動軸部
３０：一方側回動軸部
３１：ミラー
３２：ミラー支持部材
３４：一方ミラー側回動軸部
３５：一方側回動軸部
３７：他方ミラー側回動軸部
３８：他方側回動軸部
Ｌ：内径寸法
Ｌ１、Ｌ５：外形寸法
Ｌ２、Ｌ３：長さ寸法
Ｌ４：幅寸法
【図１】
0003196197.tif 000003
【図２】
0003196197.tif 000004